(57)【要約】【課題】待機電力を低減して、消費電力を削減することができる。【解決手段】得点表示装置１０は、表示部１１と電源制御部１２と表示制御部１３とを有している。表示部１１は、配列された複数の磁気反転素子と電源が供給されている間に入力された表示情報に基づき複数の磁気反転素子を駆動させるドライブ回路とを備えてそれぞれ表示を行う複数の表示ユニットを有する。電源制御部１２は、複数の表示ユニットごとにドライブ回路に対する電源の供給及び遮断の切り替えをそれぞれ行う。表示制御部１３は、電源制御部１２に複数の表示ユニットのうち表示対象の表示ユニットのドライブ回路に電源を供給させて、表示部１１に表示情報を出力して表示対象の表示ユニットに表示を行わせると、電源制御部１２に表示対象の表示ユニットのドライブ回路の電源を遮断させる。【選択図】図１
2019013707.tif 000002
【特許請求の範囲】
【請求項１】
配列された複数の磁気反転素子と電源が供給されている間に入力された表示情報に基づき前記複数の磁気反転素子を駆動させる駆動回路部とを備えてそれぞれ表示を行う複数の表示ユニットを有する表示部と、
前記複数の表示ユニットごとに前記駆動回路部に対する前記電源の供給及び遮断の切り替えをそれぞれ行う電源制御部と、
前記電源制御部に前記複数の表示ユニットのうち表示対象の表示ユニットの駆動対象の駆動回路部に前記電源を投入させて、前記表示部に前記表示情報を出力して前記表示対象の表示ユニットに表示を行わせて、前記電源制御部に前記表示対象の表示ユニットの前記駆動対象の駆動回路部の前記電源を遮断させる表示制御部と、
を有する得点表示装置。
【請求項２】
前記表示制御部は、前記電源制御部に前記表示部の前記複数の表示ユニットの前記駆動回路部に前記電源を供給させて、前記表示部に前記複数の表示ユニットの表示を消去させたのちに、前記電源制御部に前記表示部の前記複数の表示ユニットの前記駆動回路部に対する前記電源を遮断させる、
請求項１に記載の得点表示装置。
【請求項３】
前記表示部は野球に関する表示を行うものであり、
前記複数の表示ユニットは、先攻、後攻の各回の得点表示にそれぞれ対応している、
請求項１または２に記載の得点表示装置。
【請求項４】
前記表示制御部は、攻守交代が通知されると、前記電源制御部に、任意の回における通知前の攻撃側に対応する表示ユニットの駆動回路部に対する前記電源を遮断させ、通知前の守備側に対応する表示ユニットの駆動回路部に対する前記電源を供給させる、
請求項３に記載の得点表示装置。
【請求項５】
操作入力を受け付けて、前記操作入力による表示に対応する表示情報を出力する表示入力装置と、
配列された複数の磁気反転素子と電源が供給されている間に前記表示入力装置から入力された前記表示情報に基づき前記複数の磁気反転素子を駆動させる駆動回路部とを備えてそれぞれ表示を行う複数の表示ユニットを有する表示部と、前記複数の表示ユニットごとに前記駆動回路部に対する前記電源の供給及び遮断の切り替えをそれぞれ行う電源制御部と、前記電源制御部に前記複数の表示ユニットのうち表示対象の表示ユニットの駆動対象の駆動回路部に前記電源を投入させて、前記表示部に前記表示情報を出力して前記表示対象の表示ユニットに表示を行わせて、前記電源制御部に前記表示対象の表示ユニットの前記駆動対象の駆動回路部の前記電源を遮断させる表示制御部と、を有する得点表示装置と、
を備える表示システム。
【発明の詳細な説明】
【技術分野】
【０００１】
本発明は、得点表示装置及び表示システムに関する。
【背景技術】
【０００２】
野球場、サッカー場等の競技場で用いられるスコアボード（得点表示装置）では、磁気反転素子が用いられる場合がある。
磁気反転素子は、おもて面及び裏面にそれぞれ白、黒等が着色された回動部材に磁石が付随されたものである。そして、磁気反転素子は、例えば、コイルを用いて電流の流す方向を変えることで回動部材が正転または反転されて、白・黒等の色を表示させるものである。このような磁気反転素子は、一旦正転または反転されて表示すると、磁石の磁力により回転した回動部材が維持されるために、電力を必要とすることはない（例えば、特許文献１参照）。
【０００３】
得点表示装置では、このような複数の磁気反転素子が配列されて、これらの磁気反転素子の回動を駆動させるドライブ回路を備える表示ユニットを備えている。表示ユニットでは、ドライブ回路は電源が供給されると、表示情報に基づき、複数の磁気反転素子を駆動させて、所望の文字、数字等を表示させることができる。
【先行技術文献】
【特許文献】
【０００４】
【特許文献１】特開２０１４−２１５４４８号公報
【発明の概要】
【発明が解決しようとする課題】
【０００５】
しかし、このような得点表示装置では、磁気反転素子を駆動させるドライブ回路に常時電源が入っている。このため、得点表示装置では、磁気反転素子で表示をさせない時、磁気反転素子で表示をした後でも常にドライブ回路に待機電力がかかっており、無駄な電力を消費している。
【０００６】
本発明は、このような点に鑑みてなされたものであり、待機電力を低減することができる得点表示装置及び当該得点表示装置を含む表示システムを提供することを目的とする。
【課題を解決するための手段】
【０００７】
本発明の一観点によれば、配列された複数の磁気反転素子と電源が供給されている間に入力された表示情報に基づき前記複数の磁気反転素子を駆動させる駆動回路部とを備えてそれぞれ表示を行う複数の表示ユニットを有する表示部と、前記複数の表示ユニットごとに前記駆動回路部に対する前記電源の供給及び遮断の切り替えをそれぞれ行う電源制御部と、前記電源制御部に前記複数の表示ユニットのうち表示対象の表示ユニットの駆動対象の駆動回路部に前記電源を投入させて、前記表示部に前記表示情報を出力して前記表示対象の表示ユニットに表示を行わせて、前記電源制御部に前記表示対象の表示ユニットの前記駆動対象の駆動回路部の前記電源を遮断させる表示制御部と、を有する得点表示装置が提供される。
【０００８】
また、本発明の一観点によれば、上記得点表示装置を備える表示システムが提供される。
【発明の効果】
【０００９】
開示の技術によれば、待機電力を低減して、消費電力を削減することができる。
【図面の簡単な説明】
【００１０】
【図１】実施の形態の競技用表示システムを示す図である。
【図２】実施の形態の得点表示装置の表示部（表示面）を示す図である。
【図３】実施の形態の得点表示装置の表示部（裏面）を示す図である。
【図４】実施の形態の得点表示装置の電源制御部のハードウェア構成例を示す図である。
【図５】実施の形態の得点表示装置の表示制御部のハードウェア構成例を示す図である。
【図６】実施の形態の表示入力装置のハードウェア構成例を示す図である。
【図７】実施の形態の表示入力装置の操作入力画面例を示す図である。
【図８】実施の形態の得点表示装置の表示制御部で実行される表示処理（得点表示以外）を示すフローチャートである。
【図９】実施の形態の得点表示装置の表示制御部で実行される表示消去処理を示すフローチャートである。
【図１０】実施の形態の得点表示装置の表示制御部で実行される表示処理（得点表示）を示すフローチャートである。
【発明を実施するための形態】
【００１１】
以下、図面を参照して、実施の形態について説明する。
まず、実施の形態の競技用表示システムについて、図１を用いて説明する。
図１は、実施の形態の競技用表示システムを示す図である。
【００１２】
競技用の表示システム３０は、得点表示装置１０と表示入力装置２０とを有している。なお、得点表示装置１０と表示入力装置２０とは通信可能に有線または無線により接続されている（図１では、有線で接続されている場合を示している）。
【００１３】
得点表示装置１０は、競技に関する情報（選手名、審判名、得点状況、時間等）を表示することができる。このような得点表示装置１０は、表示部１１と電源制御部１２と表示制御部１３とを有している。
【００１４】
なお、表示部１１は、電源制御部１２及び表示制御部１３と接続されており、電源制御部１２から電源出力選択信号が送信され、表示制御部１３から表示情報が送信される。さらに、電源制御部１２には、表示制御部１３が接続されており、表示制御部１３から表示部１１に対する電源の供給及び遮断の切り替え要求が送信される。これらの詳細については後述する。
【００１５】
表示部１１は、複数の表示ユニットを有している。表示ユニットは、例えば、選手名、審判名、得点等をそれぞれ表示することができるものである。このような表示ユニットは、配列された複数の磁気反転素子と電源が供給されている間に入力された表示情報に基づき複数の磁気反転素子を駆動させるドライブ回路（駆動回路部）とを備えている。なお、このような表示部１１の具体的な構成については後述する。
【００１６】
電源制御部１２は、外部の電源（図示を省略）に接続されている。このような電源制御部１２は、表示部１１に含まれる複数の表示ユニットごとにドライブ回路に対する電源の供給及び遮断の切り替えをそれぞれ行う。なお、このような電源制御部１２の具体的な構成については後述する。
【００１７】
表示制御部１３は、後述する表示入力装置２０から表示部１１に表示させる画像の表示情報が入力される。このような表示制御部１３は、電源制御部１２に複数の表示ユニットのうち表示対象の表示ユニットの駆動回路部に電源を供給させて、表示部１１に表示情報を出力して表示対象の表示ユニットに表示を行わせて、電源制御部１２に表示対象の表示ユニットのドライブ回路の電源を遮断させる。なお、このような表示制御部１３の具体的な構成については後述する。
【００１８】
また、表示入力装置２０は、得点表示装置１０から離れた操作室等に設置されて、競技状況の変化（得点が入る、選手交代、タイムラップの経過、順位の変動、判定結果等）に応じて操作者により操作される。このような表示入力装置２０は、操作者の操作に基づき、得点表示装置１０に競技状況の変化を表示させて、得点表示装置１０に対して遠隔操作を行うことができる。なお、このような表示入力装置２０の具体的な構成については後述する。
【００１９】
このような競技用の表示システム３０は、野球、サッカー、陸上競技、競泳等の様々な競技で競技状況の案内に用いることができる。
そこで、以下では、競技の一例として野球を挙げて説明する。
【００２０】
次に、このような競技用の表示システム３０の各構成のハードウェア構成例について図面を用いて説明する。
まず、得点表示装置１０の表示部１１について説明する。
【００２１】
表示部１１の表示面の構成について図２を用いて説明する。
図２は、実施の形態の得点表示装置の表示部（表示面）を示す図である。
表示部１１は、図２に示されるように、その表示面（おもて側）には、対戦チームのチーム名を表示する表示ユニット１１ａ１，１１ａ２と、各チームの各回において得点した点数及びその合計得点を表示する表示ユニット１１ｂ１〜１１ｂ２０と、審判の審判名を表示する表示ユニット１１ａ３〜１１ａ６とを備えている。また、表示部１１の表示面には、各チームのチーム名及び選手名をそれぞれ表示する表示ユニット１１ａ７〜１１ａ２８を備えている。
【００２２】
さらに、表示部１１の表示面には、ストライク（Ｓ）のカウントを示すランプ１１ｃ１〜１１ｃ３とボール（Ｂ）のカウントを示すランプ１１ｃ４〜１１ｃ７とアウト（Ｏ）のカウントを示すランプ１１ｃ８〜１１ｃ１０とを備えている。また、表示部１１の表示面には、ヒット（Ｈ）、エラー（Ｅ）、フィルダースチョイス（Ｆｃ）をそれぞれ示すランプ１１ｃ１１〜１１ｃ１３を備えている。
【００２３】
既述の通り、各表示ユニット１１ａ１〜１１ａ２８，１１ｂ１〜１１ｂ２０は、それぞれ複数の磁気反転素子が配列されて構成されている。また、ランプ１１ｃ１〜１１ｃ１３は、例えば、複数のＬＥＤ（Light Emitting Diode）により構成されている。
【００２４】
また、図２に示す表示部１１の表示面の構成は一例であり、例えば、競技時間、走塁状況、他試合の結果等を示す表示ユニットを設けることもできる。
一方、表示部１１の裏面の構成について図３を用いて説明する。
【００２５】
図３は、実施の形態の得点表示装置の表示部（裏面）を示す図である。
なお、図３の破線は、表示ユニットの配置を示しており、各表示ユニットの符号については省略している。また、図３では図示を省略しているものの、電源電圧１１ｅ１〜１１ｅ２８，１１ｇ１〜１１ｇ２０は、電源制御部１２にそれぞれ接続されている。
【００２６】
表示部１１は、図３に示されるように、その裏面には、対戦チームのチーム名を表示する表示ユニット１１ａ１，１１ａ２の表示を制御し、表示制御部１３に接続されたドライブ回路１１ｄ１，１１ｄ２が設けられている。また、ドライブ回路１１ｄ１，１１ｄ２には電源制御部１２から電源電圧１１ｅ１，１１ｅ２がそれぞれ供給される。
【００２７】
また、表示部１１の裏面には、各チームの各回において得点した点数を表示する表示ユニット１１ｂ１〜１１ｂ２０の表示を制御し、表示制御部１３に接続されたドライブ回路１１ｆ１〜１１ｆ２０が設けられている。また、ドライブ回路１１ｆ１〜１１ｆ２０には電源制御部１２から電源電圧１１ｇ１〜１１ｇ２０がそれぞれ供給される。
【００２８】
また、表示部１１の裏面には、審判の審判名を表示する表示ユニット１１ａ３〜１１ａ６の表示を制御し、表示制御部１３に接続されたドライブ回路１１ｄ３〜１１ｄ６が設けられている。また、ドライブ回路１１ｄ３〜１１ｄ６には電源制御部１２から電源電圧１１ｅ３〜１１ｅ６がそれぞれ供給される。
【００２９】
また、表示部１１の裏面には、各チームのチーム名及び選手名をそれぞれ表示する表示ユニット１１ａ７〜１１ａ２８の表示を制御し、表示制御部１３に接続されたドライブ回路１１ｄ７〜１１ｄ２８が設けられている。また、ドライブ回路１１ｄ７〜１１ｄ２８には電源制御部１２から電源電圧１１ｅ７〜１１ｅ２８がそれぞれ供給される。
【００３０】
なお、図３では図示を省略しているものの、ランプ１１ｃ１〜１１ｃ１３にも、電源制御部１２から電源電圧が供給される。
次に、得点表示装置１０の電源制御部１２について、図４を用いて説明する。
【００３１】
図４は、実施の形態の得点表示装置の電源制御部のハードウェア構成例を示す図である。
電源制御部１２は、外部の電源が供給されており、また、表示制御部１３から電源出力選択信号が入力される。なお、電源出力選択信号は、電源制御部１２から、表示対象の表示ユニットのドライブ回路に対して電源電圧を供給（または遮断）させるための信号である。したがって、電源制御部１２は、電源出力選択信号に基づき、表示部１１の各表示ユニット１１ａ１〜１１ａ２８，１１ｂ１〜１１ｂ２０のドライブ回路１１ｄ１〜１１ｄ２８，１１ｆ１〜１１ｆ２０に電源電圧１１ｅ１〜１１ｅ２８，１１ｇ１〜１１ｇ２０を供給（または遮断）する。このような電源制御部１２は、デコーダ部１２ａとリレー部１２ｂ１〜１２ｂｎ（ｎは、表示ユニットに電源を供給する電源電圧の個数）とを有している。
【００３２】
デコーダ部１２ａは、表示制御部１３から入力された電源出力選択信号をデコードして、デコードした電源出力選択信号に対応するリレー部１２ｂ１〜１２ｂｎを選択する。
リレー部１２ｂ１〜１２ｂｎは、外部の電源から電源電圧がそれぞれ印加されている（図示を省略）。また、リレー部１２ｂ１〜１２ｂｎは、表示部１１のドライブ回路１１ｄ１〜１１ｄ２８，１１ｆ１〜１１ｆ２０にそれぞれ接続されている。リレー部１２ｂ１〜１２ｂｎは、デコーダ部１２ａで電源出力選択信号に基づいて選択されると、接続先のドライブ回路１１ｄ１〜１１ｄ２８，１１ｆ１〜１１ｆ２０に電源電圧１１ｅ１〜１１ｅ２８，１１ｇ１〜１１ｇ２０をそれぞれ供給（または遮断）する。
【００３３】
次に、得点表示装置１０の表示制御部１３について、図５を用いて説明する。
図５は、実施の形態の得点表示装置の表示制御部のハードウェア構成例を示す図である。
【００３４】
表示制御部１３は、プロセッサ１３ａにより部全体が制御されている。プロセッサ１３ａには、バス１３ｇを介して、ＲＡＭ（Random Access Memory）１３ｂと、ＨＤＤ（Hard Disk Drive）１３ｃと、通信制御部１３ｄと、入出力インタフェース１３ｅと、記憶媒体インタフェース１３ｆとがそれぞれ接続されている。なお、プロセッサ１３ａは、例えば、ＣＰＵ（Central Processing Unit）、ＭＰＵ（Micro Processing Unit）、ＤＳＰ（Digital Signal Processor）、ＡＳＩＣ（Application Specific Integrated Circuit）、または、ＰＬＤ（Programmable Logic Device）であっても構わない。また、プロセッサ１３ａは、ＣＰＵ、ＭＰＵ、ＤＳＰ、ＡＳＩＣ、ＰＬＤのうちの２以上の要素の組み合わせであってもよい。
【００３５】
ＲＡＭ１３ｂには、プロセッサ１３ａに実行させるＯＳ（Operating System）のプログラムやサーバを実行するためのアプリケーションプログラムの少なくとも一部が一時的に格納される。また、ＲＡＭ１３ｂには、プロセッサ１３ａによる処理に必要な各種データまたは処理で生成されたデータ等が格納される。
【００３６】
ＨＤＤ１３ｃは、内蔵したディスクに対して、磁気的にデータの書き込み及び読み出しを行う。ＨＤＤ１３ｃは、表示制御部１３の補助記憶装置として使用される。ＨＤＤ１３ｃには、ＯＳのプログラム、アプリケーションプログラム、各種データが記憶される。なお、ＨＤＤ１３ｃに限らず、ＳＳＤを使用することもできる。なお、補助記憶装置としては、フラッシュメモリ等の半導体記憶装置を使用することもできる。
【００３７】
通信制御部１３ｄは、例えば、ＲＳ−２３２Ｃ（Recommended Standard 232 version C）やＵＳＢ（Universal Serial Bus）接続の接続形式で表示入力装置２０に接続されている。通信制御部１３ｄは、表示入力装置２０との間でデータの送受信を行う。
【００３８】
入出力インタフェース１３ｅには、表示部１１及び電源制御部１２が接続されている。入出力インタフェース１３ｅは、プロセッサ１３ａからの表示情報を表示部１１に送信し、プロセッサ１３ａからの電源出力選択信号を電源制御部１２に送信する。また、入出力インタフェース１３ｅは、表示部１１からの信号を受信する。
【００３９】
記憶媒体インタフェース１３ｆは、磁気やレーザ等を利用して記憶媒体１３ｆ１に記録されたデータの読み取りや書き込みを行う。また、記憶媒体インタフェース１３ｆは、半導体メモリ等の記憶媒体に記録されたデータの読み取りを行うものであってもよい。記憶媒体１３ｆ１とは、例えば、光ディスクや、フラッシュメモリ等の半導体メモリ等を含む。光ディスクは、光の反射によって読み取り可能なようにデータが記録された可搬型の記憶媒体である。光ディスクには、ＤＶＤ（Digital Versatile Disc）、ＤＶＤ−ＲＡＭ、ＣＤ−ＲＯＭ（Compact Disc − Read Only Memory）、ＣＤ−Ｒ（Recordable）／ＲＷ（ReWritable）等がある。
【００４０】
記憶媒体インタフェース１３ｆは、表示制御部１３に周辺機器を接続するための通信制御部としても用いることができる。例えば、記憶媒体インタフェース１３ｆには、メモリ装置やメモリリーダライタを接続することができる。メモリ装置は、記憶媒体インタフェース１３ｆとの通信機能を搭載した記憶媒体である。メモリリーダライタは、メモリカードへのデータの書き込み、または、メモリカードからのデータの読み出しを行う装置である。メモリカードは、カード型の記憶媒体である。
【００４１】
また、競技用の表示システム３０が備える表示入力装置２０について、図６を用いて説明する。
図６は、実施の形態の表示入力装置のハードウェア構成例を示す図である。
【００４２】
表示入力装置２０は、プロセッサ２０ａにより部全体が制御されている。プロセッサ２０ａには、バス２０ｇを介して、ＲＡＭ２０ｂと、ＨＤＤ２０ｃと、通信制御部２０ｄと、入出力インタフェース２０ｅと、記憶媒体インタフェース２０ｆとがそれぞれ接続されている。
【００４３】
なお、プロセッサ２０ａと、ＲＡＭ２０ｂと、ＨＤＤ２０ｃと、通信制御部２０ｄと、入出力インタフェース２０ｅと、記憶媒体インタフェース２０ｆとは、図５で説明した表示制御部１３のプロセッサ１３ａと、ＲＡＭ１３ａと、ＨＤＤ１３ｃと、通信制御部１３ｄと、入出力インタフェース１３ｅと、記憶媒体インタフェース１３ｆと同様の機能を有する。
【００４４】
また、通信制御部２０ｄは、例えば、ＲＳ−２３２ＣやＵＳＢ接続の接続形式で得点表示装置１０（表示制御部１３）に接続されている。通信制御部２０ｄは、得点表示装置１０（表示制御部１３）との間でデータの送受信を行う。
【００４５】
入出力インタフェース２０ｅには、入出力デバイスが接続されている。入出力デバイスは、入力デバイスと出力デバイスとを含む。入力デバイスの一例として、キーボード２２、マウス２３、得点操作装置２４がある。この他にも、タッチパネルを適用することができる。また、出力デバイスの一例として、モニタ２１がある。この他にも、液晶表示や、各種パネル表示装置、音声出力装置等がある。入出力インタフェース２０ｅは、キーボード２２、マウス２３、得点操作装置２４から送られてくる信号をプロセッサ２０ａに送信する。
【００４６】
なお、マウス２３は、ポインティングデバイスの一例であり、他のポインティングデバイスを使用することもできる。他のポインティングデバイスとしては、タッチパネル、タッチパッド、トラックボール等がある。
【００４７】
また、得点操作装置２４は、得点の入力、ヒット数、エラー数の入力、ストライク・ボール・アウトの入力、サイレン、スコアボードの電源投入・切断等を行うことができる専用の操作機である。
【００４８】
入出力インタフェース２０ｅは、プロセッサ２０ａからの命令に従って、画像をモニタ２１に表示させる。モニタ２１としては、液晶ディスプレイや有機ＥＬ（Electro Luminescence）ディスプレイを用いた表示装置等がある。
【００４９】
ここで、表示入力装置２０を用いた、得点表示装置１０の操作入力について説明する。
表示入力装置２０は、モニタ２１に表示される操作入力画面を用いて、得点表示装置１０に対する操作入力を行う。このような操作入力画面の一例について、図７を用いて説明する。
【００５０】
図７は、実施の形態の表示入力装置の操作入力画面例を示す図である。
モニタ２１に表示される操作入力画面には、主な機能として、得点表示領域２１ａと、得点入力ボタン領域２１ｂと、ＢＳＯ入力ボタン領域２１ｃと、ＨＥＦｃ入力ボタン領域２１ｄと、メッセージ表示ボタン領域２１ｅとを含む。また、操作入力画面には、三塁側メンバー表示領域２１ｆと、一塁側メンバー表示領域２１ｇと、審判表示領域２１ｈと、チーム選択ボタン領域２１ｊと、選手選択ボタン領域２１ｋと、審判選択ボタン領域２１ｌと、チーム選択ボタン領域２１ｍと、選手選択ボタン領域２１ｎとを含む。さらに、操作入力画面には、全消去ボタン領域２１ｏと表示ボタン領域２１ｐとを含む。
【００５１】
得点表示領域２１ａは、後述する各種ボタン領域により入力されたチーム名、得点情報、ヒット、エラー等が表示される。得点表示領域２１ａでは、モニタ２１の画面上でマウス２３により選択されることで、選択箇所の入力が可能となる。例えば、得点表示領域２１ａの「先攻（上段）」の「チーム名」をマウス２３でクリックすると、当該箇所の入力が可能となる。なお、得点表示領域２１ａの表示領域は、得点表示装置１０の表示部１１の表示ユニット１１ａ１，１１ａ２，１１ｂ１〜１１ｂ２０（図２を参照）にそれぞれ対応している。
【００５２】
得点入力ボタン領域２１ｂは、モニタ２１の画面上でマウス２３により指定されることで、得点の入力、増加、減少、消去を可能とする。例えば、得点表示領域２１ａで、「後攻（下段）」の「１回裏」がマウス２３のクリックにより選択されると、入力可能状態となる。そして、得点入力ボタン領域２１ｂで、「＋」をマウス２３でクリックすると、「後攻（下段）」の「１回裏」に「１」が設定される。
【００５３】
ＢＳＯ入力ボタン領域２１ｃは、モニタ２１の画面上でマウス２３により指定されることで、ＢＳＯの判定結果が入力される。なお、ＢＳＯ入力ボタン領域２１ｃで指定されたＢＳＯの判定結果は、得点表示装置１０の表示部１１のランプ１１ｃ１〜１１ｃ１０にそれぞれ対応している。例えば、ＢＳＯ入力ボタン領域２１ｃで「Ｂ（ボール）」をマウス２３でクリックすると、「Ｂ」の右側の丸が点灯するに伴って、得点表示装置１０の表示部１１のランプ１１ｃ４（図２を参照）が点灯する。また、「Ｏ（アウト）」においてスリーアウトになった際には、ＢＳＯ入力ボタン領域２１ｃで「チェンジ」をマウス２３でクリックすると、ＢＳＯのカウントが全て消去されると共に、得点表示装置１０の表示部１１のランプ１１ｃ１〜１１ｃ１０（図２を参照）も消灯する。
【００５４】
ＨＥＦｃ入力ボタン領域２１ｄは、モニタ２１の画面上でマウス２３により指定されることで、ＨＥＦｃの判定結果が入力される。なお、ＨＥＦｃ入力ボタン領域２１ｄで指定されたＨＥＦｃの判定結果は、得点表示装置１０の表示部１１の１１ｃ１１〜１１ｃ１３（図２を参照）にそれぞれ対応している。例えば、得点表示領域２１ａで、「後攻（下段）」の「Ｈ（ヒット）」がマウス２３のクリックにより選択される。そして、ＨＥＦｃ入力ボタン領域２１ｄで、「＋」をマウス２３でクリックすると、「後攻（下段）」の「Ｈ」に「１」が入力されるに伴って、得点表示装置１０の表示部１１のランプ１１ｃ１１（図２を参照）が点灯する。
【００５５】
メッセージ表示ボタン領域２１ｅは、モニタ２１の画面上でマウス２３により指定されると、メッセージ入力領域（図示を省略）が別途表示されて、キーボード２２によりメッセージを入力することができる。なお、このようにして入力されたメッセージは、得点表示装置１０の表示部１１の図示を省略する領域に表示される。
【００５６】
三塁側メンバー表示領域２１ｆは、後述する選手選択ボタン領域２１ｋをマウス２３で指定することで、選択されたチームのメンバーが表示される。なお、三塁側メンバー表示領域２１ｆの表示領域は、得点表示装置１０の表示部１１の表示ユニット１１ａ７〜１１ａ１７（図２を参照）にそれぞれ対応している。
【００５７】
一塁側メンバー表示領域２１ｇは、後述する選手選択ボタン領域２１ｎをマウス２３で指定することで、選択されたチームのメンバーが表示される。なお、一塁側メンバー表示領域２１ｇの表示領域は、得点表示装置１０の表示部１１の表示ユニット１１ａ１８〜１１ａ２８（図２を参照）にそれぞれ対応している。
【００５８】
審判表示領域２１ｈは、後述する審判選択ボタン領域２１ｌをマウス２３で指定することで、選択された審判名が表示される。なお、審判表示領域２１ｈの表示領域は、得点表示装置１０の表示部１１の表示ユニット１１ａ３〜１１ａ６（図２を参照）にそれぞれ対応している。
【００５９】
チーム選択ボタン領域２１ｊは、モニタ２１の画面上でマウス２３により指定されると、予め登録してあるチーム名のリストが表示されて、当該リストからチーム名がマウス２３のクリックにより選択される。例えば、得点表示領域２１ａの「先攻（上段）」の「チーム名」がマウス２３のクリックにより選択される（入力可能状態となる）。そして、チーム選択ボタン領域２１ｊをマウス２３のクリックにより、予め登録してあるチーム名のリストが表示される。さらに、マウス２３のクリックにより、当該リストからチーム名が選択されると、得点表示領域２１ａの「先攻（上段）」の「チーム名」と、三塁側メンバー表示領域２１ｆの「ＴＮ（チームネーム）」とに、選択したチーム名が表示される。
【００６０】
選手選択ボタン領域２１ｋは、モニタ２１の画面上でマウス２３により指定されると、チーム選択ボタン領域２１ｊで選択したチームの所属選手として予め登録してある選手名のリストが表示されて、当該リストから打順に従って選手がマウス２３のクリックにより選択される。このようにして選択された選手は、三塁側メンバー表示領域２１ｆに打順に従って表示される。
【００６１】
審判選択ボタン領域２１ｌは、モニタ２１の画面上でマウス２３により指定されると、予め登録してある審判名のリストが表示されて、当該リストからＰＬ、１Ｂ、２Ｂ、３Ｂ、ＬＬ、ＲＬの順に従って審判がマウス２３のクリックにより選択される。このようにして選択された審判は、審判表示領域２１ｈに表示される。
【００６２】
チーム選択ボタン領域２１ｍは、モニタ２１の画面上でマウス２３により指定されると、予め登録してあるチーム名のリストが表示されて、当該リストからチーム名がマウス２３のクリックにより選択される。例えば、得点表示領域２１ａの「後攻（下段）」の「チーム名」がマウス２３のクリックにより選択される（入力可能状態となる）。そして、チーム選択ボタン領域２１ｍをマウス２３のクリックにより、予め登録してあるチーム名のリストが表示される。さらに、マウス２３のクリックにより、当該リストからチーム名が選択されると、得点表示領域２１ａの「後攻（下段）」の「チーム名」と、一塁側メンバー表示領域２１ｇの「ＴＮ（チームネーム）」とに、選択したチーム名が表示される。
【００６３】
選手選択ボタン領域２１ｎは、モニタ２１の画面上でマウス２３により指定されると、チーム選択ボタン領域２１ｍで選択したチームの所属選手として予め登録してある選手名のリストが表示されて、当該リストから打順に従って選手がマウス２３のクリックにより選択される。このようにして選択された選手は、一塁側メンバー表示領域２１ｇに打順に従って表示される。
【００６４】
全消去ボタン領域２１ｏは、モニタ２１の画面上でマウス２３により指定されると、得点表示装置１０に表示されているものが全て消去される。
表示ボタン領域２１ｐは、モニタ２１の画面上でマウス２３により指定されると、当該操作入力画面の入力内容が得点表示装置１０に表示される。例えば、得点表示領域２１ａの「後攻（下段）」の「チーム名」を表示した後に、表示ボタン領域２１ｐがマウス２３のクリックにより指定されると、得点表示装置１０の表示部１１の表示ユニット１１ａ２（図２を参照）にチーム名が表示される。
【００６５】
次に、このような構成を有する競技用の表示システム３０の得点表示装置１０における表示制御部１３（プロセッサ１３ａ）で実行される表示処理について説明する。
なお、得点表示装置１０では、表示部１１の表示ユニット１１ａ１〜１１ａ２８，１１ｂ１〜１１ｂ２０に対する表示がされた後、表示部１１のドライブ回路１１ｄ１〜１１ｄ２８，１１ｆ１〜１１ｆ２０には電源は供給されていないものとする。
【００６６】
まず、得点表示以外に関する表示処理について図８を用いて説明する。
図８は、実施の形態の得点表示装置の表示制御部で実行される表示処理（得点表示以外）を示すフローチャートである。
【００６７】
なお、得点表示以外の表示とは、チーム名、審判、メンバー等の表示であり、表示部１１の表示ユニット１１ａ１〜１１ａ２８（図２を参照）における表示である。
［ステップＳ１１］  表示制御部１３は、表示入力装置２０から表示通知を待ち受ける。表示制御部１３は、表示入力装置２０から表示通知を受信すると、次の処理はステップＳ１２に進められる。
【００６８】
例えば、「Ｐ（ピッチャー）」の交代に伴って、表示入力装置２０は、モニタ２１にて三塁側メンバー表示領域２１ｆのメンバー（「Ｐ」）を選手選択ボタン領域２１ｋにより交代し、表示ボタン領域２１ｐがマウス２３によりクリックされると、得点表示装置１０の表示制御部１３に表示通知を送信する。この際、表示通知には、表示ユニット１１ａ１７に表示させるための表示情報と、当該表示情報の送信先のアドレスとなる電源出力選択信号とが含まれる。
【００６９】
［ステップＳ１２］  表示制御部１３は、ステップＳ１１で受信した表示通知に含まれる表示情報から、対象となる表示部１１の表示ユニットを特定する。
例えば、上記のＰの交代の場合、表示制御部１３は、受信した表示通知に含まれる表示情報から、三塁側メンバー表示領域２１ｆに対応する表示部１１の表示ユニット１１ａ１７であることを特定する。
【００７０】
［ステップＳ１３］  表示制御部１３は、ステップＳ１１で受信した表示通知に含まれる電源出力選択信号を電源制御部１２に出力して、電源制御部１２にステップＳ１２で特定した表示対象の表示ユニットに対応するドライブ回路に対する電源電圧を供給させる。
【００７１】
例えば、上記のＰの交代の場合、表示制御部１３は、受信した表示通知に含まれる電源出力選択信号に基づいて、電源制御部１２に、表示部１１の表示ユニット１１ａ１７に対応するドライブ回路１１ｄ１７に電源電圧１１ｅ１７を供給させる。これにより、表示ユニット１１ａ１７は表示可能状態となる。
【００７２】
［ステップＳ１４］  表示制御部１３は、ステップＳ１１で受信した表示通知に含まれる表示情報に基づき、ステップＳ１３で電源電圧が供給されたドライブ回路を制御して、ステップＳ１２で特定した対象となる表示ユニットで表示させる。
【００７３】
この際、ステップＳ１２で特定した対象となる表示ユニットで既に表示させている場合には、表示制御部１３は、ステップＳ１１で受信した表示通知に含まれる表示情報に基づき、対象となる表示ユニットの表示を更新させる。
【００７４】
例えば、上記のＰの交代の場合、表示制御部１３は、受信した表示通知に含まれる表示情報に基づいて、電源電圧１１ｅ１７が供給されたドライブ回路１１ｄ１７により表示部１１の表示ユニット１１ａ１７に交代後のＰの選手名を表示させる。
【００７５】
［ステップＳ１５］  表示制御部１３は、ステップＳ１４で対象となる表示ユニット（に表示させたドライブ回路）から表示が適切に完了したことを表す表示完了通知を待ち受ける。
【００７６】
表示制御部１３が、表示完了通知を受信すると、次の処理はステップＳ１６に進められる。
［ステップＳ１６］  表示制御部１３は、ステップＳ１１で受信した表示通知に含まれる電源出力選択信号を電源制御部１２に出力して、電源制御部１２にステップＳ１２で特定した対象となる表示ユニットに対応するドライブ回路に対する電源電圧を遮断させる。
【００７７】
例えば、上記のＰの交代の場合、表示制御部１３は、電源制御部１２にドライブ回路１１ｄ１７に対する電源電圧１１ｅ１７を遮断させる。この際、表示ユニット１１ａ１７は、磁気回転素子により構成されているために、表示ユニット１１ａ１７による（交代後のＰの選手名の）表示は維持された状態となる。
【００７８】
［ステップＳ１７］  表示制御部１３は、表示入力装置２０に、表示完了通知を送信する。
なお、表示入力装置２０は、表示完了通知を受信すると、モニタ２１にその旨を表示することができる。操作者はこのような通知から得点表示装置１０における表示が適切に行われたことを確認することができ、更なる表示を行う、または、表示を終了して全てを消去することを判断する。
【００７９】
［ステップＳ１８］  表示制御部１３は、表示入力装置２０から、新たな表示通知（得点表示以外）または全消去（全消去ボタン領域２１ｏの指定）を受け付ける。
次の処理は、表示制御部１３は表示入力装置２０から新たな表示通知（得点表示以外）を受け付けた場合には、再び、ステップＳ１２に進められ、全消去を受け付けた場合には、ステップＳ１９に進められる。
【００８０】
［ステップＳ１９］  表示制御部１３は、電源制御部１２により電源電圧１１ｅ１〜１１ｅ２８，１１ｇ１〜１１ｇ２０が供給される、表示部１１のドライブ回路１１ｄ１〜１１ｄ２８，１１ｆ１〜１１ｆ２０を制御して、表示部１１の表示ユニット１１ａ１〜１１ａ２８，１１ｂ１〜１１ｂ２０の表示を全て消去させる。
【００８１】
また、表示制御部１３は、電源制御部１２に表示部１１のドライブ回路１１ｄ１〜１１ｄ２８，１１ｆ１〜１１ｆ２０に対する電源電圧１１ｅ１〜１１ｅ２８，１１ｇ１〜１１ｇ２０を遮断させる。
【００８２】
なお、ステップＳ１９の表示消去処理の詳細については後述する。
以上により、表示制御部１３による得点表示以外に関する表示処理が実行される。
ここで、上記フローチャートのステップＳ１９の表示消去処理について図９を用いて説明する。
【００８３】
図９は、実施の形態の得点表示装置の表示制御部で実行される表示消去処理を示すフローチャートである。
［ステップＳ１９ａ］  表示制御部１３は、電源制御部１２に、全表示ユニット１１ａ１〜１１ａ２８，１１ｂ１〜１１ｂ２０（にそれぞれ対応するドライブ回路１１ｄ１〜１１ｄ２８，１１ｆ１〜１１ｆ２０）に対する電源電圧１１ｅ１〜１１ｅ２８，１１ｇ１〜１１ｇ２０を供給させる。
【００８４】
［ステップＳ１９ｂ］  表示制御部１３は、表示部１１の全ドライブ回路１１ｄ１〜１１ｄ２８，１１ｆ１〜１１ｆ２０を制御して、全表示ユニット１１ａ１〜１１ａ２８，１１ｂ１〜１１ｂ２０の表示を消去する。
【００８５】
［ステップＳ１９ｃ］  表示制御部１３は、ステップＳ１９ｂで全表示ユニット１１ａ１〜１１ａ２８，１１ｂ１〜１１ｂ２０（に表示させたドライブ回路１１ｄ１〜１１ｄ２８，１１ｆ１〜１１ｆ２０）から表示を適切に消去したことを表す表示消去完了通知を待ち受ける。
【００８６】
表示制御部１３は、表示消去完了通知を受信すると、次の処理はステップＳ１９ｄに進められる。
［ステップＳ１９ｄ］  表示制御部１３は、表示入力装置２０に、表示消去完了通知を送信する。
【００８７】
以上により、表示制御部１３による表示消去処理が実行される。
次に、得点表示に関する表示処理について図１０を用いて説明する。
図１０は、実施の形態の得点表示装置の表示制御部で実行される表示処理（得点表示）を示すフローチャートである。
【００８８】
なお、得点表示とは、先攻、後攻の各回に得られる得点及びその合計得点の表示であり、表示部１１の表示ユニット１１ｂ１〜１１ｂ２０（図２を参照）における表示である。
［ステップＳ２１］  表示制御部１３は、表示入力装置２０から表示通知を（得点表示）待ち受ける。表示制御部１３が、表示入力装置２０から表示通知（得点表示）を受信すると、次の処理はステップＳ２２に進められる。
【００８９】
例えば、先攻のチームが１回の表に１点を得たことに伴って、表示入力装置２０は、モニタ２１にて得点表示領域２１ａの１回の表の欄に得点入力ボタン領域２１ｂにより１点追加される。表示ボタン領域２１ｐがマウス２３によりクリックされると、得点表示装置１０の表示制御部１３に表示通知を送信する。この際、表示通知には、表示ユニット１１ｂ１に表示させるための表示情報と、当該表示情報の送信先のアドレスとなる電源出力選択信号とが含まれる。
【００９０】
なお、表示制御部１３は、先攻・後攻共に、各回で得点が更新されるごとに、合計得点を算出して合計得点に関する表示情報を表示制御部１３に送信する。
［ステップＳ２２］  表示制御部１３は、ステップＳ２１で受信した表示通知に含まれる表示情報から、対象となる表示部１１の表示ユニットを特定する。
【００９１】
例えば、上記の先攻の１回表の場合、表示制御部１３は、受信した表示通知に含まれる表示情報から、得点表示領域２１ａに対応する表示部１１の表示ユニット１１ｂ１，１１ｂ１９であることを特定する。
【００９２】
［ステップＳ２３］  表示制御部１３は、ステップＳ２１で受信した表示通知に含まれる電源出力選択信号を電源制御部１２に出力して、電源制御部１２にステップＳ２２で特定した対象となる表示ユニットに対応するドライブ回路に対する電源電圧を供給させる。
【００９３】
例えば、上記の先攻の１回表の場合、表示制御部１３は、受信した表示通知に含まれる電源出力選択信号に基づいて、電源制御部１２に、表示部１１の表示ユニット１１ｂ１，１１ｂ１９に対応するドライブ回路１１ｆ１，１１ｆ１９に電源電圧１１ｇ１，１１ｇ１９を供給させる。これにより、表示ユニット１１ｂ１，１１ｂ１９は表示可能状態となる。
【００９４】
［ステップＳ２４］  表示制御部１３は、ステップＳ２１で受信した表示通知に含まれる表示情報に基づき、ステップＳ２３で電源電圧が供給されたドライブ回路を制御して、ステップＳ２２で特定した対象となる表示ユニットで表示させる。
【００９５】
この際、ステップＳ２２で特定した対象となる表示ユニットで既に表示させている場合には、表示制御部１３は、ステップＳ２１で受信した表示通知に含まれる表示情報に基づいて、対象となる表示ユニットの表示を更新させる。
【００９６】
例えば、上記の先攻の１回表の場合、表示制御部１３は、受信した表示通知に含まれる表示情報に基づいて、電源電圧１１ｇ１，１１ｇ１９が供給されたドライブ回路１１ｆ１，１１ｆ１９により表示部１１の表示ユニット１１ｂ１に１点を表示させ、表示ユニット１１ｂ１９にも１点が加えられて更新される。
【００９７】
［ステップＳ２５］  表示制御部１３は、ステップＳ２４で対象となる表示ユニット（に表示させたドライブ回路）から表示が適切に完了したことを表す表示完了通知を待ち受ける。
【００９８】
表示制御部１３が、表示完了通知を受信すると、次の処理はステップＳ２６に進められる。
［ステップＳ２６］  表示制御部１３は、表示入力装置２０に、表示完了通知を送信する。
【００９９】
なお、表示入力装置２０は、表示完了通知を受信すると、モニタ２１にその旨を表示することができる。
［ステップＳ２７］  次の処理は、表示制御部１３はＢＳＯ入力ボタン領域２１ｃの攻守交代（チェンジ）を受け付けた場合には、ステップＳ２８に進められ、攻守交代を受け付けない場合には、ステップＳ３０に進められる。
【０１００】
［ステップＳ２８］  表示制御部１３は、電源制御部１２に、攻撃側の現在の回の得点及び合計得点の表示ユニット（ドライブ回路）に対する電源電圧を遮断させる。
例えば、上記の先攻の１回表の場合、表示制御部１３は、電源制御部１２にドライブ回路１１ｆ１，１１ｆ１９に対する電源電圧１１ｇ１，１１ｇ１９を遮断させる。この際、表示ユニット１１ｂ１，１１ｂ１９は、磁気回転素子により構成されているために、表示ユニット１１ｂ１，１１ｂ１９による表示は維持された状態となる。
【０１０１】
［ステップＳ２９］  表示制御部１３は、電源制御部１２に、守備側の現在の回の得点及び合計得点の表示ユニット（ドライブ回路）に対する電源電圧を供給させる。
例えば、上記の先攻の１回表の場合、表示制御部１３は、電源制御部１２にドライブ回路１１ｆ２，１１ｆ２０に対する電源電圧１１ｇ２，１１ｇ２０を供給させる。
【０１０２】
［ステップＳ３０］  表示制御部１３は、表示入力装置２０から、新たな表示通知（得点表示）または全消去（全消去ボタン領域２１ｏの指定）を受け付ける。
次の処理は、表示制御部１３は表示入力装置２０から新たな表示通知（得点表示）を受け付けた場合には、再び、ステップＳ２２に進められ、全消去を受け付けた場合には、ステップＳ１９に進められる。
【０１０３】
［ステップＳ１９］  表示制御部１３は、電源制御部１２により電源電圧１１ｅ１〜１１ｅ２８，１１ｇ１〜１１ｇ２０が供給される、表示部１１のドライブ回路１１ｄ１〜１１ｄ２８，１１ｆ１〜１１ｆ２０を制御して、表示部１１の表示ユニット１１ａ１〜１１ａ２８，１１ｂ１〜１１ｂ２０の表示を全て消去させる。
【０１０４】
また、表示制御部１３は、電源制御部１２に表示部１１のドライブ回路１１ｄ１〜１１ｄ２８，１１ｆ１〜１１ｆ２０に対する電源電圧１１ｅ１〜１１ｅ２８，１１ｇ１〜１１ｇ２０を遮断させる。
【０１０５】
以上により、表示制御部１３による得点表示に関する表示処理が実行される。
なお、上記フローチャートでは、各回に得点が追加されるごとに伴って、合計得点の表示ユニット１１ｂ１９，１１ｂ２０（ドライブ回路１１ｆ１９，１１ｆ２０）に対する電源電圧１１ｇ１９，１１ｇ２０を供給させている。この場合に限らず、合計得点に関しては攻撃側の合計得点の表示ユニット１１ｂ１９，１１ｂ２０（ドライブ回路１１ｆ１９，１１ｆ２０）に対して常時電源電圧１１ｇ１９，１１ｇ２０を供給させるようにすることも可能である。
【０１０６】
上記得点表示装置１０は、表示部１１と電源制御部１２と表示制御部１３とを有している。表示部１１は、配列された複数の磁気反転素子と電源が供給されている間に入力された表示情報に基づき複数の磁気反転素子を駆動させるドライブ回路１１ｄ１〜１１ｄ２８，１１ｆ１〜１１ｆ２０とを備えてそれぞれ表示を行う複数の表示ユニット１１ａ１〜１１ａ２８，１１ｂ１〜１１ｂ２０を有する。電源制御部１２は、複数の表示ユニット１１ａ１〜１１ａ２８，１１ｂ１〜１１ｂ２０ごとにドライブ回路１１ｄ１〜１１ｄ２８，１１ｆ１〜１１ｆ２０に対する電源の供給及び遮断の切り替えをそれぞれ行う。表示制御部１３は、電源制御部１２に複数の表示ユニット１１ａ１〜１１ａ２８，１１ｂ１〜１１ｂ２０のうち表示対象の表示ユニットのドライブ回路の電源を供給させて、表示部１１に表示情報を出力して表示対象の表示ユニットに表示を行わせると、電源制御部１２に表示対象の表示ユニットのドライブ回路の電源を遮断させる。
【０１０７】
このように、表示制御部１３は、表示対象の表示ユニットのドライブ回路のみに対して電源を供給させ、表示対象の表示ユニットで表示されると、当該ドライブ回路に対する電源を遮断するようにした。この際、表示ユニットは磁気反転素子で構成されているために、一旦表示されると、当該表示ユニットのドライブ回路に対する電源が遮断されても表示が維持される。
【０１０８】
したがって、得点表示装置１０では、表示部１１にて表示対象の表示ユニットのドライブ回路のみに電源を供給し、表示対象の表示ユニットで表示させると、そのドライブ回路の電源を遮断するようにした。これにより、ドライブ回路の待機電力を低減して、消費電力を削減することができる。
【０１０９】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１１０】
処理内容を記述したプログラムは、コンピュータで読み取り可能な記憶媒体に記録しておくことができる。コンピュータで読み取り可能な記憶媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ（Compact Disc）−ＲＯＭ、ＣＤ−Ｒ／ＲＷ等がある。光磁気記憶媒体には、ＭＯ（Magneto - Optical disk）等がある。半導体メモリには、ＵＳＢメモリ等のフラッシュメモリがある。
【０１１１】
上記プログラムを流通させる場合には、例えば、そのプログラムが記録されたＤＶＤ、ＣＤ−ＲＯＭ等の可搬型記憶媒体が販売される。また、プログラムをサーバコンピュータに格納しておき、ネットワークを介して、サーバコンピュータから他のコンピュータにそのプログラムを転送することもできる。
【０１１２】
上記プログラムを実行するコンピュータは、例えば、可搬型記憶媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記憶媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１１３】
また、プログラムで記述された処理の一部または全てを、電子回路に置き換えることが可能である。例えば、上記の処理機能の少なくとも一部を、ＤＳＰ、ＡＳＩＣ、ＰＬＤ等の電子回路で実現してもよい。
【符号の説明】
【０１１４】
１０  得点表示装置
１１  表示部
１１ａ１〜１１ａ２８，１１ｂ１〜１１ｂ２０  表示ユニット
１１ｃ１〜１１ｃ１３  ランプ
１１ｄ１〜１１ｄ２８，１１ｆ１〜１１ｆ２０  ドライブ回路
１１ｅ１〜１１ｅ２８，１１ｇ１〜１１ｇ２０  電源電圧
１２  電源制御部
１２ａ  デコーダ部
１２ｂ１〜１２ｂｎ  リレー部
１３  表示制御部
１３ａ，２０ａ  プロセッサ
１３ｂ，２０ｂ  ＲＡＭ
１３ｃ，２０ｃ  ＨＤＤ
１３ｄ，２０ｄ  通信制御部
１３ｅ，２０ｅ  入出力インタフェース
１３ｆ，２０ｆ  記憶媒体インタフェース
１３ｆ１，２０ｆ１  記憶媒体
１３ｇ，２０ｇ  バス
２０  表示入力装置
２１  モニタ
２１ａ  得点表示領域
２１ｂ  得点入力ボタン領域
２１ｃ  ＢＳＯ入力ボタン領域
２１ｄ  ＨＥＦｃ入力ボタン領域
２１ｅ  メッセージ表示ボタン領域
２１ｆ  三塁側メンバー表示領域
２１ｇ  一塁側メンバー表示領域
２１ｈ  審判表示領域
２１ｊ，２１ｍ  チーム選択ボタン領域
２１ｋ，２１ｎ  選手選択ボタン領域
２１ｌ  審判選択ボタン領域
２１ｏ  全消去ボタン領域
２１ｐ  表示ボタン領域
２２  キーボード
２３  マウス
２４  得点操作装置
３０  表示システム
【図１】
2019013707.tif 000003
【図２】
2019013707.tif 000004
【図３】
2019013707.tif 000005
【図４】
2019013707.tif 000006
【図５】
2019013707.tif 000007
【図６】
2019013707.tif 000008
【図７】
2019013707.tif 000009
【図８】
2019013707.tif 000010
【図９】
2019013707.tif 000011
【図１０】
2019013707.tif 000012